(57)【特許請求の範囲】
【請求項１】
原稿群の画像を読み取って画像データを作成し、当該画像データに基づいて画像を形成し、第１の原稿群に対する画像の読み取りと第２の原稿群に対する画像の形成とをそれぞれ独立して同時並行して行なう画像形成装置であって、
装置内部の動作状況を表示するための第１の表示部と、
装置内部の動作状況を表示するための、前記第１の表示部よりも表示面積が小さい、第２の表示部と、
前記第１の原稿群に対する画像の読み取りに関する動作状況を前記第１の表示部に表示するとともに、前記第２の原稿群に対する画像の形成に関する動作状況を前記第２の表示部に表示するよう制御する制御手段とを含み、
前記制御手段は、前記第２の原稿群に対する画像の形成に関してジャムが発生した場合には当該エラーに関する情報を第１の表示部に表示し、前記第２の原稿群に対する画像の形成に関してペーパエンプティが発生した場合には当該エラーに関する情報を前記第２の表示部に表示させる、画像形成装置。
【発明の詳細な説明】
【０００１】
【発明の属する技術分野】
本発明は、画像を形成する画像形成装置に関し、特に、装置内部の複数の動作状況を表示する画像形成装置に関する。
【０００２】
【従来の技術】
従来より、複写機、プリンタなどの画像形成装置の中で、複数の原稿群に対する画像データの読み取りと画像のプリントとを独立して行なう、マルチジョブ機能を有するものが知られている。画像形成装置には装置内部の動作状況や設定された画像形成条件を表示するための表示装置が設けられているが、マルチジョブ機能を有する画像形成装置では、複数の動作を同時に行なうことができるため、これらの動作に対する表示はマルチジョブ機能を持たない画像形成装置に対して複雑になる。
【０００３】
このようなマルチジョブ機能を持つ画像形成装置で用いられる表示として、特開昭６２−２１０４８１号公報、特開平４−１１９３６４号公報に開示された技術がある。
【０００４】
特開昭６２−２１０４８１号公報に開示された複写機は、あるジョブに対する記録動作中に、別のジョブに対する動作条件を入力することができ、記録動作中のジョブの動作条件を表示するための第１の表示部と、入力動作中のジョブの動作条件を表示するための第２の表示部との２つの表示部を有している。また、特開平４−１１９３６４号公報に開示された複写機は、１つの表示部に第１のジョブに対する動作条件と第２のジョブに対する動作条件とを交互に表示する。
【０００５】
【発明が解決しようとする課題】
しかしながら、前者の複写機においては、常に固定された表示エリアに絶えず情報が表示されているため、操作者は表示の状態が変化したことを認識することが困難である。また、後者の複写機においては、一方のジョブに対する動作条件が表示されている際には、他方のジョブに対する動作条件を確認することができない。これらは、上述の複写機のいずれを用いても、操作者は的確に装置内部の動作状況を認識することができないことを示している。
【０００６】
本発明の目的は、装置内部の動作状況を操作者に的確に知らせること、詳しくは、操作者にジャムが発生していることを的確に知らせることができる画像形成装置を提供することである。
【０００７】
【課題を解決するための手段】
請求項１に記載の発明は、原稿群の画像を読み取って画像データを作成し、当該画像データに基づいて画像を形成し、第１の原稿群に対する画像の読み取りと第２の原稿群に対する画像の形成とをそれぞれ独立して同時並行して行なう画像形成装置である。
【０００８】
本画像形成装置は、装置内部の動作状況を表示するための第１の表示部と、装置内部の動作状況を表示するための、第１の表示部よりも表示面積が小さい第２の表示部と、第１の原稿群に対する画像の読み取りに関する動作状況を第１の表示部に表示するとともに、第２の原稿群に対する画像の形成に関する動作状況を第２の表示部に表示するよう制御する制御手段とを含んでいる。そして、本画像形成装置の制御手段は、第２の原稿群に対する画像の形成に関してジャムが発生した場合にはには当該エラーに関する情報を第１の表示部に表示し、前記第２の原稿群に対する画像の形成に関してペーパエンプティが発生した場合には当該エラーに関する情報を第２の表示部に表示させる。
【０００９】
請求項１に記載の発明によると、第１および第２の原稿群についての動作状況を表示でき、かつ、第２の原稿群に対する画像の形成に関するエラーについて、ジャムが発生した場合には第１の表示部に当該エラーに関する情報が表示され、ペーパエンプティが発生した場合には第２の表示部に当該エラーに関する情報が表示される。これにより、複数の原稿群についての動作状況を表示でき、かつ、エラーが発生した場合には、当該エラーの内容に応じた適切な表示がなされるため、装置内部の動作状況は操作者に的確に知らせられる。
【００１３】
【発明の実施の形態】
以下、図面を参照しつつ、本発明の実施の形態の１つである、マルチジョブ機能を有する複写機について説明する。
【００１４】
図１は、本発明の実施の形態の１つである、マルチジョブ機能を有する複写機１の概略構成を示す模式的断面図である。
【００１５】
複写機１は、大きくは、原稿の画像を読み取って画像データを生成する読み取り装置ＩＲと、読み取り装置ＩＲで得られた画像データを一時記憶する画像記憶部３０と、画像記憶部３０に格納された画像データに基づいて複写用紙に印字を行なうプリンタ装置ＰＲＴと、操作を入力するための操作パネル３００（複写機１上面（紙面に垂直方向）に設置されている）と、原稿を搬送し必要に応じて原稿の表裏を反転させる原稿搬送部５００と、必要に応じて一度複写の終わった複写用紙の表裏を反転させ複写用紙をプリンタ装置ＰＲＴに再給紙する再給紙部６００とから構成される。
【００１６】
原稿搬送部５００では、原稿給紙トレイ５０１にセットされた原稿はプリント指令があると、最下層の原稿から自動的に原稿ガラス１５上の読み取り位置にセットされ、読み取り装置ＩＲでの読み取りが完了すると、排紙トレイ５０２上に排出される。
【００１７】
読み取り装置ＩＲは、走査系１０と画像信号処理部２０とからなる。走査系１０では、まず、読み取り位置にセットされた原稿の画像がその下方を移動するスキャナ１６に取り付けられた露光ランプ１１により露光される。原稿からの反射光は、反射ミラーおよび集光レンズ１２を通り、ＣＣＤアレイなどを用いた光電変換素子１３、１４に入力される。続いて、これらの走査系１０で得られた信号は、画像信号処理部２０へ送られる。画像信号処理部２０では、入力された信号（画像データ）に対して二値化処理、画質補正、変倍、画像編集等の画像処理が行なわれ、画像処理が行なわれた画像データは、画像記憶部３０に格納される。
【００１８】
プリンタ装置ＰＲＴは、印字処理部４０、光学系６０、作像系７０、用紙搬送系８０からなる。印字処理部４０は、画像記憶部３０からの画像データに基づいて、光学系６０を駆動する。光学系６０では、印字処理部４０によって制御される信号に基づいて半導体レーザ６１、６２が、それぞれレーザビームを発する。これらは、ダイクロイックミラー６３で合成され、モータ６４によって回転するポリゴンミラー６５によって反射され、主レンズ６６を通して作像系７０の感光体７１に向けて照射される。
【００１９】
作像系７０では、まず、感光体７１が、帯電チャージャ７２によって帯電された後、光学系６０からのレーザビームが照射される。これによって、感光体７１上には、静電潜像が形成される。続いて、現像器７３により、静電潜像上にトナーが載せられる。感光体７１上のトナー像は、用紙搬送系８０の給紙カセット８０ａまたは給紙カセット８０ｂから給紙された複写用紙に転写される。その後、用紙搬送ベルト８１によって用紙は定着器８２に搬送され、熱と圧力によりトナーが用紙に定着された後、再給紙部６００の排紙トレイ６０１上に排出される。
【００２０】
これらのような各部の動作の際に、複写機１は、原稿搬送部５００とプリンタ装置ＰＲＴとにおいて原稿あるいは複写紙のジャム（紙詰まり）などのエラーを検知することができ、故障などによって複写機１が動作を停止した場合、これを検知することができる。また、複写機１は、給紙カセット８０ａ、給紙カセット８０ｂ内の用紙切れなどのエラーを検出することができ、原稿ガラス１５上で原稿が読み取り位置に適切にセットされてないなどのエラーを検知することができる。
【００２１】
続いて、図１の操作パネル３００について説明する。図２は、操作パネル３００の構成を示す平面図である。
【００２２】
操作パネル３００上の液晶タッチパネル３０１は、複写機１の動作状況に応じて複数の画面を表示する。図２には、複数の画面のうちの基本画面を表示した状態が示されている。この基本画面内には、" 基本" 、" 原稿→コピー" 、" 応用" の３つの大項目が記されたタッチキー３１０、３１１、３１２が表示される。ここで、" 基本" 、" 原稿→コピー" 、" 応用" とは、複写機１が実行することのできる種々の複写条件の設定項目を分類する分類項目名であり、たとえば、" 基本" には、複写紙サイズ、複写倍率、ソートモードの複写条件設定項目が属する。図示された基本画面は、分類項目" 基本" に対応するタッチキー３１０が押下された際に表示される画面であり、画面中央部分には、分類項目" 基本" に属する複写紙サイズ、複写倍率、ソートモードの各設定項目の条件を設定するための、タッチキー３１３、３１４、３１５が表示されており、画面下部には、予約ジョブを設定するための予約設定キー３１６が表示されている。なお、この基本画面は、タッチキー３１０を押下した際以外に電源投入直後やパネルリセット時にも表示される。
【００２３】
テンキー３０２はコピー枚数や複写倍率の数値を入力するために用いられ、クリアキー３０３はテンキー３０２により入力した数値をクリアするために用いられる。スタートキー３０６はコピーを開始するために用いられ、ストップキー３０４は実行中のコピー動作を停止させるために用いられる。また、パネルリセットキー３０５は、液晶タッチパネル３０１に表示される設定画面に対する操作により設定されたコピー条件を初期条件にリセットするために用いられる。
【００２４】
複写機１はマルチジョブ機能を有しており、次にこれらについて説明する。図３は、複写機１でのマルチジョブ機能を説明するための図である。
【００２５】
複写機１によって、セットされた原稿からコピーを得るまでには、大きく分けて、原稿画像を読み取り画像データを生成する読み取り装置ＩＲでの処理と、画像データを補正し記憶する画像記憶部３０での処理と、記憶された画像データに基づいて印字するプリンタ装置ＰＲＴでの処理との３つの処理が行なわれる。これらの一連の３つの処理が、上述の順序で、セットされた原稿群に施されることにより、その原稿群のコピーが得られる。
【００２６】
ここで、これらの１つの原稿群に対するモード設定、読み取り動作、プリント動作等の一連の複写機１での処理を「ジョブ」と称し、マルチジョブ機能とは、同時に複数のジョブを並行して行なうことを意味するものとする。たとえば、原稿群Ａに対するジョブについてプリンタ装置ＰＲＴでプリント出力を実行している最中に、原稿群Ａとは異なる原稿群Ｂに対するジョブについて読み取り動作を実行することである。つまり、マルチジョブ機能によって、プリント動作と読み取り動作とが独立して同時並行して行なわれる。
【００２７】
なお、プリント動作と読み取り動作とは独立して動作するため、２つの動作が同時に行われている際、トラブルが発生してプリント動作あるいは読み取り動作のうちのいずれか一方の動作が停止しても、他方の動作は停止させることなく、そのまま継続させることができる。
【００２８】
上述のような複写機１は、次にブロック図を示す制御回路によって制御される。図４は、複写機１の制御を実行する制御部のブロック図である。
【００２９】
制御部は、複写機１を動作させるプログラムを格納するＲＯＭ１０１と、プログラムを実行するマイクロコンピュータ１００（以下、ＣＰＵ１００と称する。）と、プログラムの実行に必要な情報を記憶するＲＡＭ１０２とを備える。ＣＰＵ１００には、操作パネル３００（図１参照）の各種キーからの信号が入力されるとともに、給紙カセット８０ａ、８０ｂの用紙切れを検出するペーパエンプティセンサＳＥ１、ＳＥ２、プリンタ装置ＰＲＴでの複写紙のジャムを検出するジャム検出センサ群ＳＥ３、原稿搬送部５００での原稿のジャムを検出するジャム検出センサ群ＳＥ４、その他の複写機１各部の異常、状態を検出するためのセンサからの信号が入力される。これらの入力に応じて、ＣＰＵ１００は、各種複写条件を設定し、あるいは、各部の状態を判定して、複写機１を制御する。また、ＣＰＵ１００は、操作パネル３００に対して、制御信号を出力し、ＲＡＭ１０２に格納された複数の画面を選択的に液晶タッチパネル３０１上に表示させる。
【００３０】
以下、図５〜図１０を用いてこれらのような複写機１の制御部のＣＰＵ１００で実行される制御の手順について説明する。図５は、複写機１の動作を制御するＣＰＵ１００が実行するメインルーチンのフローチャートである。
【００３１】
複写機１の電源が入りＣＰＵ１００がリセットされると、プログラムがスタートする。まず、ステップ１（以下、ステップをＳと略す）でＲＡＭのクリア、各種レジスタの設定などのＣＰＵ１００の初期設定が行われ、Ｓ２で複写機１のモードの初期化処理が行われる。
【００３２】
次に、Ｓ３で、ＣＰＵ１００に内蔵されておりその値はあらかじめ初期設定でセットされている１ルーチンの長さを規定する内部タイマがスタートされる。
【００３３】
続いて、Ｓ４でカレントジョブの状態を判定するジョブ判定処理、Ｓ５でサブジョブの状態を判定するサブジョブ判定処理、Ｓ６でハードキーおよびタッチキーによるキー入力を制御するキー入力制御処理、Ｓ７で液晶タッチパネルへの表示を制御する表示制御処理が行なわれる。Ｓ４〜Ｓ７の処理はサブルーチンで行なわれるが、これらについては後述する。
【００３４】
これらの処理の後、Ｓ８で通常の複写機１の動作を制御するシステム制御処理、Ｓ９でその他の処理が順次行われる。
【００３５】
Ｓ３〜Ｓ１０での処理が行われた後、Ｓ１０で、Ｓ３でセットした内部タイマが終了したか否かが判断される。内部タイマが終了したと判断されると（Ｓ１０にて、ＹＥＳ）、１ルーチンは終了し、Ｓ３に戻る。内部タイマが終了していないと判断されると（Ｓ１０で、ＮＯ）、処理はＳ１０にとどまる。
【００３６】
次に、上述のＳ４〜Ｓ７のサブルーチンでの処理について図６〜図１０を用いて説明する。
【００３７】
図６、図７は、図５に示すＳ４のジョブ判定処理のサブルーチンを示すフローチャートである。
【００３８】
ここで、カレントジョブとは、複写機１がマルチジョブを実行している際に、実行中のジョブのうちの重要度の高いジョブを指し、サブジョブとはカレントジョブ以外の重要度の低いジョブを示す。
【００３９】
具体的には、あるジョブによって複写機１が読み取り動作を実行し、もう一方のジョブにおいてプリント動作を実行している際、２つの動作のうち、どちらの動作の重要度が高いかを決定し、重要度の高い動作を実行しているジョブをカレントジョブとしてＲＡＭ１０２（図４参照）に記憶し、もう一方のジョブをサブジョブとしてＲＡＭ１０２に記憶する。たとえば、読み取り動作を重要度が高いと判断した場合には、カレントジョブを読み取り動作を実行しているジョブとし、カレントジョブを「読み取り動作」として記憶する。
【００４０】
ＣＰＵ１００で重要度を判断するための１つの要素として、複写機１が動作中に発生したエラーの種類がある。エラーに対しては、エラーの修復の困難さに応じたレベルが設定されている。高いエラーレベルに属するものとしては複写紙あるいは原稿のジャム等があり、低いエラーレベルに属するものとしてはペーパエンプティ、原稿セット不良等がある。
【００４１】
ジョブ判定処理では、まず、Ｓ４０１で、複写機１が停止中であるか否かが判断される。停止中でなければ（Ｓ４０１にて、ＮＯ）、Ｓ４０２で読み取り動作中か否かが判断される。読み取り動作中であれば（Ｓ４０２にて、ＹＥＳ）、Ｓ４０３でカレントジョブが「読み取り動作」にされた後、本ルーチンはリターンする。
【００４２】
複写機１が読み取り動作中でなければ（Ｓ４０２にて、ＮＯ）、Ｓ４０４でプリント動作中であるか否かが判断される。プリント動作中であれば（Ｓ４０４にて、ＹＥＳ）、Ｓ４０５でカレントジョブが「プリント動作」にされた後、本ルーチンはリターンする。プリント動作中でなければ（Ｓ４０４にて、ＮＯ）、カレントジョブは本ルーチンが呼び出される前の状態に保たれたまま、本ルーチンはリターンする。
【００４３】
複写機１が停止中であれば（Ｓ４０１にて、ＹＥＳ）、Ｓ４０６で（先述のジャム、ペーパエンプティなどの）エラーが発生したタイミングであるか否かが判断される。詳述はしないが、複写機１では、エラーが発生した瞬間にエラーの存在を示す信号がオンにされ、エラーから回復した瞬間にエラーの存在を示す信号がオフにされる。エラーが発生したタイミングであれば（Ｓ４０６にて、ＹＥＳ）、Ｓ４０７〜Ｓ４１３で、エラーの種類とエラーのレベルが判断される。
【００４４】
Ｓ４０７では、プリント動作でのエラーであるか否かが判断される。プリント動作でのエラーであれば（Ｓ４０７にて、ＹＥＳ）、Ｓ４０８でエラーレベル（すなわちエラーを表示する優先度）が高いか否かが判断される。エラーレベルが高ければ（Ｓ４０８にて、ＹＥＳ）、Ｓ４０９でカレントジョブは「プリント動作」にされ本ルーチンはリターンし、エラーレベルが高くなければ（Ｓ４０８にて、ＮＯ）、カレントジョブは切り換えられずに本ルーチンはリターンする。
【００４５】
プリント動作でのエラーでなければ（Ｓ４０７にて、ＮＯ）、Ｓ４１０で読み取り動作のエラーであるか否かが判断される。読み取り動作でのエラーであれば（Ｓ４１０にて、ＹＥＳ）、Ｓ４１１でエラーレベルが高いか否かが判断される。エラーレベルが高ければ（Ｓ４１１にて、ＹＥＳ）、Ｓ４１２でカレントジョブは「読み取り動作」にされ本ルーチンはリターンし、エラーレベルが高くなければ（Ｓ４１１にて、ＮＯ）、カレントジョブは切り換えられずに本ルーチンはリターンする。（プリント動作のエラーでなく）読み取り動作のエラーでなければ（Ｓ４１０にて、ＮＯ）、Ｓ４１３で全体エラーとされ、本ルーチンはリターンする。
【００４６】
また、エラーが発生していなければ（Ｓ４０６にて、ＮＯ）、Ｓ４１４で複写機１に対する操作者の操作（例えば、ジャムに対処する処理としてのカバーの開閉、エラーの解除を施す処置等）がなされたか否かが判断される。
【００４７】
複写機１に対する操作がなされると（Ｓ４１４にて、ＹＥＳ）、Ｓ４１５でプリント動作でのエラーに対して適切な処置がなされたか否かが判断される。プリント動作エラーに対する適切な処置であれば（Ｓ４１５にて、ＹＥＳ）、Ｓ４１６でカレントジョブが「プリント動作」にされた後、Ｓ４１９で先述のエラーの存在を示す信号はオフにされ、本ルーチンはリターンする。一方、プリント動作エラーに対する適切な処置でなければ（Ｓ４１５にて、ＮＯ）、Ｓ４１７で読み取り動作でのエラーに対して適切な処置がなされたか否かが判断される。読み取り動作エラーに対する適切な処置であれば（Ｓ４１７にて、ＹＥＳ）、Ｓ４１８でカレントジョブが「読み取り動作」にされた後、プリント動作エラーに対する処理と同様に、Ｓ４１９で先述のエラーの存在を示す信号はオフにされ、本ルーチンはリターンする。読み取り動作エラーに対して適切な処置でなければ（Ｓ４１７にて、ＮＯ）、そのまま本ルーチンはリターンする。
【００４８】
複写機１に対する操作がなされなければ（Ｓ４１４にて、ＮＯ）、Ｓ４２０、Ｓ４２１、Ｓ４２４で中断状態がいかなる状態であるかが判断される。まず、Ｓ４２０では、プリント動作が中断中であるか否かが判断される。
【００４９】
プリント動作が中断中であれば（Ｓ４２０にて、ＹＥＳ）、Ｓ４２１で複写機１の読み取り動作が中断中であるか否かが判断される。（プリント動作が中断中であり）読み取り動作が中断中であれば（Ｓ４２１にて、ＹＥＳ）、Ｓ４２２で両方の動作が中断状態であることが判断され、本ルーチンはリターンする。読み取り動作が中断中でなければ（Ｓ４２１にて、ＮＯ）、Ｓ４２３でカレントジョブが「プリント動作」にされた後、本ルーチンはリターンする。
【００５０】
プリント動作が中断中でなければ（Ｓ４２０にて、ＮＯ）、Ｓ４２４で読み取り動作が中断中であるか否かが判断される。読み取り動作が中断中であれば（Ｓ４２４にて、ＹＥＳ）、Ｓ４２５でカレントジョブが「読み取り動作」にされた後、本ルーチンはリターンする。読み取り動作が中断中でなければ（Ｓ４２４にて、ＮＯ）、Ｓ４２６で両方のジョブが待機中であることが判断され、本ルーチンはリターンする。
【００５１】
以上のようにして、ＣＰＵ１００（図４参照）によりカレントジョブに対する動作の状態が判定される。
【００５２】
図８は、図５に示すＳ５のサブジョブ判定処理のサブルーチンを示すフローチャートである。
【００５３】
サブジョブ判定処理では、まず、Ｓ５０１で、カレントジョブが「読み取り動作」であるか否かが判断される。カレントジョブが「読み取り動作」であれば（Ｓ５０１にて、ＹＥＳ）、Ｓ５０２で複写機１がプリント動作中であるか否かが判断される。プリント動作中であれば（Ｓ５０２にて、ＹＥＳ）、Ｓ５０３でサブジョブが「プリント動作」とされ、本ルーチンはリターンする。プリント動作中でなければ（Ｓ５０２にて、ＮＯ）、Ｓ５０４でサブジョブが「なし」とされ、本ルーチンはリターンする。
【００５４】
次に、カレントジョブが「読み取り動作」でなければ（Ｓ５０１にて、ＮＯ）、Ｓ５０５でカレントジョブが「プリント動作」であるか否かが判断される。カレントジョブが「プリント動作」であれば（Ｓ５０５にて、ＹＥＳ）、Ｓ５０６で読み取り動作中であるか否かが判断される。読み取り動作中であれば（Ｓ５０６にて、ＹＥＳ）、Ｓ５０７でサブジョブが「読み取り動作」とされ、本ルーチンはリターンする。読み取り動作中でなければ（Ｓ５０６にて、ＮＯ）、Ｓ５０８でサブジョブが「なし」とされ、本ルーチンはリターンする。
【００５５】
また、（カレントジョブが「読み取り動作」ではなく）カレントジョブが「プリント動作」でなければ（Ｓ５０５にて、ＮＯ）、（Ｓ５０６にて、ＮＯの場合と同様）Ｓ５０８でサブジョブが「なし」とされ、本ルーチンはリターンする。
【００５６】
このようにサブジョブが「なし」とされるのは、カレントジョブが「読み取り動作」と「プリント動作」とのいずれでもないときであり、Ｓ４のジョブ判定処理（図５参照）によって、複写機１の状態が先述の全体エラー状態、「読み取り動作」と「プリント動作」との両方が中断中の状態、待機中の状態のいずれかの状態と判定される場合である。
【００５７】
以上ようにして、ＣＰＵ１００（図４参照）によりサブジョブに対する動作の状態が判定される。
【００５８】
図９は、図５に示すＳ６のキー入力処理のサブルーチンを示すフローチャートである。
【００５９】
キー入力処理では、まず、Ｓ６０１で、予約設定キー３１６（図２参照）が押されているか否かが判断される。予約設定キー３１６が押されていれば（Ｓ６０１にて、ＹＥＳ）、Ｓ６０３でカレントジョブが「プリント動作」でありかつサブジョブが「読み取り動作」でない（すなわちプリント動作のみ実行中である）か否かが判断される。プリント動作のみ実行中であれば（Ｓ６０３にて、ＹＥＳ）、Ｓ６０４でカレントジョブが「読み取り動作」にされた後本ルーチンはリターンする。「プリント動作のみ実行中」でなければ（Ｓ６０３にて、ＮＯ）、そのまま本ルーチンはリターンする。
【００６０】
予約設定キー３１６が押されていなければ（Ｓ６０１にて、ＮＯ）、予約設定キー３１６以外のハードキー、タッチキーからの入力処理が行われ、本ルーチンはリターンする。
【００６１】
以上のようにして、ＣＰＵ１００（図４参照）によりハードキーおよびタッチキーによるキー入力が制御される。
【００６２】
図１０は、図５に示すＳ７の表示処理のサブルーチンを示すフローチャートである。以下に示す大エリア、小エリアは、それぞれ図１１に示す液晶タッチパネル３０１上の表示エリア３０１１、３０１２に対応する。
【００６３】
表示処理では、まず、Ｓ７０１で、カレントジョブが「読み取り動作」であるか否かが判断される。カレントジョブが「読み取り動作」であれば（Ｓ７０１にて、ＹＥＳ）、Ｓ７０６でサブジョブが「プリント動作」であるか否かが判断される。サブジョブが「プリント動作」であれば（Ｓ７０６にて、ＹＥＳ）、Ｓ７０７で、大エリアに読み取り動作、小エリアにプリント動作が表示され、本ルーチンはリターンする。
【００６４】
サブジョブが「プリント動作」でなければ（Ｓ７０６にて、ＮＯ）、Ｓ７０８で、大エリアに読み取り動作が表示され、小エリアの表示は消去され（小エリアには何も表示されないまま）、本ルーチンはリターンする。ここで、カレントジョブが「読み取り動作」であり、サブジョブが「プリント動作」でない場合には、サブジョブは「読み取り動作」ではあり得ないのでこれらの判断に対する処理は不要である。
【００６５】
カレントジョブが「読み取り動作」でなければ（Ｓ７０１にて、ＮＯ）、Ｓ７０２でカレントジョブが「プリント動作」であるか否かが判断される。カレントジョブが「プリント動作」であれば（Ｓ７０２にて、ＹＥＳ）、Ｓ７０９でサブジョブが「読み取り動作」であるか否かが判断される。サブジョブが「読み取り動作」であれば（Ｓ７０９にて、ＹＥＳ）、Ｓ７１０で、大エリアにプリント動作、小エリアに読み取り動作が表示され、本ルーチンはリターンする。サブジョブが「読み取り動作」でなければ（Ｓ７０９にて、ＮＯ）、Ｓ７１１で、大エリアにプリント動作が表示され、小エリアの表示は消去され、本ルーチンはリターンする。
【００６６】
カレントジョブが「プリント動作」でなければ（Ｓ７０２にて、ＮＯ）、Ｓ７０３で全体エラー状態であるか否かが判断される。全体エラー状態であれば（Ｓ７０３にて、ＹＥＳ）、Ｓ７１２で全体エラー状態であることが表示される。全体エラー状態でなければ（Ｓ７０３にて、ＮＯ）、Ｓ７０４で、２つの動作が両方とも中断中の状態であるか否かが判断される。両方が中断中であれば（Ｓ７０４にて、ＹＥＳ）、Ｓ７１３で、「読み取り動作」、「プリント動作」の両方が中断中の状態であることが表示される。「両方が中断中」でなければ（Ｓ７０４で、ＮＯ）、Ｓ７０５で待機中の状態であることが表示され、本ルーチンはリターンする。
【００６７】
以上のようにして、ＣＰＵ１００（図４参照）により液晶タッチパネル３０１（図２参照）への表示が制御される。
【００６８】
これらのような図５〜図１０に示す制御によって、図１１、図１２に示すような画面を液晶タッチパネル３０１に表示させることができる。
【００６９】
図１１は、複写機１がマルチジョブを実行している際に液晶タッチパネル３０１（図２参照）に表示される画面を示す図である。図１１に示すように、液晶タッチパネル３０１は大面積を有する表示エリア３０１１と、小面積を有する表示エリア３０１２とを含んでいる。なお、表示エリア３０１１、３０１２に表示される各ジョブにはこれらを区別するための番号が登録順に付されている。
【００７０】
大面積の表示エリア３０１１には、カレントジョブに対する複写機１の動作状況、各種モードの設定条件が示されている。ここでは、表示エリア３０１１には、カレントジョブとして第３番目に登録されたジョブであるジョブ３が設定されていることが示されており、さらに、カレントジョブであるジョブ３に対して、複写機１が原稿の読み取り動作を実行中であること、複写枚数として９９９枚が設定されていること、複写紙サイズについてオート用紙選択が設定されていること、複写倍率について等倍（×１．０００）が設定されていること、ソートモードについてノンソートが設定されていることが示されている。
【００７１】
一方、小面積の表示エリア３０１２には、サブジョブに対する複写機１の動作状況が示されている。ここでは、表示エリア３０１２には、サブジョブとして第１番目に登録されたジョブであるジョブ１が設定されていることが示されており、現在、サブジョブであるジョブ１に対して、複写機１がプリント動作を実行中であることが示されている。表示エリア３０１２には、表示エリア３０１１とは異なり、動作状況を表示するジョブの設定条件については表示されない。
【００７２】
次に、このように複写機１でマルチジョブを実行している際にエラーが発生したときの表示を説明する。図１２は、複写機１でエラーが発生したときの表示を説明するための図である。図１２（ａ）はサブジョブで表示優先度（重要度）の高いレベルのエラーが発生したときの液晶タッチパネル３０１への表示を説明するための図であり、図１２（ｂ）はサブジョブで表示優先度の低いレベルのエラーが発生したときの液晶タッチパネル３０１への表示を説明するための図である。
【００７３】
たとえば、サブジョブとして設定されているジョブ１のプリント動作において、複写紙のジャムが発生したとする。複写紙ジャムが検出されると、複写紙ジャムは高いレベルのエラーに属することから、先に説明した図６のＳ４０６〜Ｓ４０９の処理によって、カレントジョブがプリント動作実行中のジョブすなわちジョブ１に切り換えられる。これにより、図１２（ａ）に示すように、表示エリア３０１１上にカレントジョブであるジョブ１に対する複写機１の動作状況、複写紙の紙詰まりの発生が表示され、表示エリア３０１２上にサブジョブであるジョブ３に対する複写機１の動作状況が表示される。
【００７４】
また、サブジョブとして設定されているジョブ１のプリント動作において、複写紙のエンプティ（用紙切れ）が発生したとする。複写紙エンプティが検出されると、複写紙エンプティは低いレベルのエラーに属することから、先に説明した図５のＳ４０６〜Ｓ４０８の処理によって、カレントジョブの切り換えは行なわれない。これにより、図１２（ｂ）に示すように、表示エリア３０１２上にサブジョブであるジョブ１に対する複写機１の動作状況、複写紙エンプティが表示されることになる。
【００７５】
なお、カレントジョブとして処理されていたジョブ３でエラーが発生した際には、カレントジョブの切り換えは行なわれないので、エラーのレベルに関わらず、表示エリア３０１１にエラーの状況が表示される。
【００７６】
以上のような表示によると、サブジョブでエラーが発生した際にも、２段階のエラーレベルに応じて適切な表示がなされ、操作者はジョブに対する複写機１の動作状況を的確に知ることができる。
【００７７】
上述の説明では、エラーレベルを高と低との２段階に分けてそれぞれにエラー表示の大きさを対応させたが、エラーレベルを高、中、低との３段階に分けてそれぞれにエラー表示の大きさを対応させることもできる。
【００７８】
図１３は、図１２を用いて説明したような高いレベルのエラーの表示と低いレベルのエラーの表示とに加えての、中レベルのエラーの表示を説明するための図である。
【００７９】
サブジョブとして処理されていたジョブで中レベルのエラーが発生すると、図１２のように液晶タッチパネル３０１上にエラー表示３０１３が表示される。このエラー表示３０１３は、高いレベルのエラー表示のための表示エリア３０１１より小さな面積を有し低いレベルのエラー表示のための表示エリア３０１２より大きな面積を有する。ここでは、暗証番号未入力エラーは中レベルのエラーに属するものとし、エラー表示３０１３により、暗証番号未入力エラーが表示され、操作者に暗証番号の入力が促される。
【００８０】
以上のような表示によると、サブジョブでエラーが発生した際にも、３段階のエラーレベルに応じて適切な表示がなされ、操作者はサブジョブに対する複写機１の動作状況を的確に知ることができる。
【００８１】
なお、本実施の形態では、原稿画像の入力装置として読み取り装置ＩＲを用いたが、入力装置として外部接続されたコンピュータ、ファクシミリなどを用いてもよい。
【００８２】
また、本実施の形態では、マルチジョブ機能を有する複写機について説明したが、マルチジョブ機能を持たない複写機にも本発明を適用することができ、装置内部で発生したエラーのレベルに応じて表示の形態を変えることができる。
【００８３】
さらに、本実施の形態では、エラー表示の面積を変えることによって表示の形態を変化させたが、表示する文字の太さを変えること等によって表示の形態を変化させることもできる。
【図面の簡単な説明】
【図１】本発明の実施の形態の１つである、マルチジョブ機能を有する複写機１の概略構成を示す模式的断面図である。
【図２】操作パネル３００の構成を示す平面図である。
【図３】複写機１でのマルチジョブ機能を説明するための図である。
【図４】複写機１の制御を実行する制御部のブロック図である。
【図５】複写機１の動作を制御するＣＰＵ１００が実行するメインルーチンのフローチャートである。
【図６】図５に示すＳ４のジョブ判定処理のサブルーチンを示す第１のフローチャートである。
【図７】図５に示すＳ４のジョブ判定処理のサブルーチンを示す第２のフローチャートである。
【図８】図５に示すＳ５のサブジョブ判定処理のサブルーチンを示すフローチャートである。
【図９】図５に示すＳ６のキー入力処理のサブルーチンを示すフローチャートである。
【図１０】図５に示すＳ７の表示処理のサブルーチンを示すフローチャートである。
【図１１】複写機１がマルチジョブを実行している際に液晶タッチパネル３０１に表示される画面を示す図である。
【図１２】複写機１でエラーが発生したときの表示を説明するための図である。
【図１３】図１２を用いて説明したような高いレベルのエラーの表示と低いレベルのエラーの表示とに加えての、中レベルのエラーの表示を説明するための図である。
【符号の説明】
１  複写機
３０  画像記憶部
３００  操作パネル
３０１  液晶タッチパネル
３０１１、３０１２  表示エリア
３０１３  エラー表示
ＩＲ  読み取り装置
ＰＲＴ  プリンタ装置
【図１】
0003786389.tif 000002
【図２】
0003786389.tif 000003
【図３】
0003786389.tif 000004
【図４】
0003786389.tif 000005
【図５】
0003786389.tif 000006
【図６】
0003786389.tif 000007
【図７】
0003786389.tif 000008
【図８】
0003786389.tif 000009
【図９】
0003786389.tif 000010
【図１０】
0003786389.tif 000011
【図１１】
0003786389.tif 000012
【図１２】
0003786389.tif 000013
【図１３】
0003786389.tif 000014